(57)【要約】【課題】  支持バーを壁面に沿って設置することで、当該支持バーの任意の位置に配線・配管材を取着可能にして、配線・配管材の配設の自由度を高めることである。【解決手段】  支持バーＢは、固定部２を介して側壁面Ｗ1 に固定される支持バー台座Ｖを介して当該側壁面Ｗ1 に対して平行に固定配置され、当該支持バーＢの任意の位置に配線・配管材支持具Ｓ1 を用いてケーブルＫを支持させる構成であるため、当該支持バーＢに支持されるケーブルＫの総数及びその配設ピッチＰ1 の変更が自由になると共に、配線・配管材支持具Ｓ1 の変更により、サイズの異なる配線・配管材の支持を可能とする。【選択図】  図１２
2020156251.tif 000002
【特許請求の範囲】
【請求項１】
棒状の支持バーと、
壁面への固定部、及び前記支持バーを壁面に対して離間した位置で、かつ当該支持バーの延びる方向が前記壁面に相対的に沿うように保持する保持部を備えた支持バー台座と、
前記支持バーの外面を挟持して当該支持バーの任意の位置に取着可能な取着部、及び配線・配管材を支持する支持部を備えた配線・配管材支持具と、
から成り、
前記支持バーが壁面に対して離間した位置とは、少なくとも前記配線・配管材が取着部を介して当該支持バーに取着可能となるような当該壁面からの間隔を有する位置であることを特徴とする配線・配管材支持装置。
【請求項２】
配線・配管材を壁面に沿って配設する構造であって、
棒状の支持バーが、壁面に固定された支持バー台座の保持部に保持されて、前記壁面に対して離間した位置で、当該壁面に対して平行に設置され、
当該支持バーには、当該支持バーの外面を挟持して、当該支持バーの任意の位置に取着可能な取着部、及び配線・配管材を支持する支持部を備えた配線・配管材支持具が、前記支持部により配線・配管材を支持した状態で、前記取着部を介して前記支持バーに取着されていることを特徴とする配線・配管材の配設構造。
【請求項３】
前記支持バーは、当該支持バーの延びる方向に所定間隔をおいて配置された複数の前記支持バー台座に保持されていることを特徴とする請求項２に記載の配線・配管材の配設構造。
【請求項４】
前記支持バーを保持している１つの前記支持バー台座を挟むようにして、その両側に前記配線・配管材支持具がそれぞれ取着されていることを特徴とする請求項２又は３に記載の配線・配管材の配設構造。
【請求項５】
前記支持バーと前記壁面との間の隙間に、前記配線・配管材の取着部の一部が入り込んで、前記支持バーに対して前記壁面と反対側に前記配線・配管材支持具の支持部が配置されていることを特徴とする請求項２ないし４のいずれかに記載の配線・配管材の配設構造。
【請求項６】
支持バーを壁面に固定する装置であって、
壁面に対して離間した位置で、当該壁面に対して平行となるように棒状の支持バーを保持するために、当該支持バーの延在方向に所定間隔をおいて壁面に対して固定配置される少なくとも２つの支持バー支持体と、
前記２つの支持バー支持体の間において、前記支持バーを壁面に固定するための支持バー中間固定具、
とから成り、
前記支持バー中間固定具は、前記２つの支持バー支持体が壁面から離間した位置と同位置において、抱持部により前記支持バーを抱持し、しかも固定部で前記壁面に固定可能であることを特徴とする支持バー固定装置。
【請求項７】
前記支持バー中間固定具は、前記２つの支持バー支持体の間において支持されている支持バーを壁面から離れる方向に撓ませることで、前記支持バーと壁面との間に配置可能であり、当該配置状態で、支持バーに対して抱持可能であると共に、壁面に対して固定可能であることを特徴とする請求項６に記載の支持バー固定装置。
【請求項８】
前記支持バー中間固定具は、前記壁面に固定するための固定部と、前記支持バーに対して抱持される抱持部とを備え、
前記抱持部は、一対の抱持片が前記支持バーの軸方向に所定間隔をおいて対向して形成され、当該一対の抱持片の間に支持バーを、当該一対の抱持片の離間方向に対して傾斜配置させた状態で、当該支持バーを前記一対の抱持片に対して相対的に回動させることで、当該支持バーに当該一対の抱持片が抱持される構成であり、
前記支持バー中間固定具の抱持部は、前記２つの支持バー支持体により支持された支持バーの壁面からの離間距離と同一距離で、当該支持バーを抱持可能であることを特徴とする請求項６又は７に記載の支持バー固定装置。
【請求項９】
前記支持バー中間固定具は、壁面に固定した状態で、前記支持バーを抱持可能であって、しかも、抱持している支持バーに対して前記抱持部を回動させることで、当該支持バーを非抱持状態とすることが可能であることを特徴とする請求項８に記載の支持バー固定装置。
【請求項１０】
前記支持バー中間固定具と、前記支持バー支持体とは、同一形状であることを特徴とする請求項６ないし９のいずれかに記載の支持バー固定装置。
【請求項１１】
配線・配管材支持具を取着するための棒状の支持バーを壁面に固定するための支持バー台座であって、
前記壁面への固定部を有する固定台座と、前記支持バーを保持する保持部を有する保持体とから成り、
前記固定台座と前記保持体とは、回動組付け部を介して回動可能に組み付けられ、
前記保持体の保持部は、前記固定台座を壁面に固定した状態で、前記支持バーを、壁面から離間した位置で当該壁面と平行に保持可能であることを特徴とする支持バー台座。
【請求項１２】
（一対の抱持片に対する支持バーの抱持構造）
前記保持体の保持部は、一対の抱持片が、当該一対の抱持片で抱持される前記支持バーの軸方向に所定間隔をおいて対向して形成され、当該一対の抱持片の間に支持バーを、当該一対の抱持片の離間方向に対して傾斜配置させた状態で、当該支持バーを当該一対の抱持片に対して相対的に回動させることで、当該支持バーは当該一対の抱持片に抱持されることを特徴とする請求項１１に記載の支持バー台座。
【請求項１３】
壁面への固定部と、配線・配管材支持具が取着される棒状の支持バーを保持する保持部とを備え、当該支持バーを壁面に固定するための支持バー台座であって、
前記保持部は、一対の抱持片が、当該一対の抱持片で抱持される前記支持バーの軸方向に所定間隔をおいて対向して形成され、当該一対の抱持片の間に支持バーを、当該一対の抱持片の離間方向に対して傾斜配置させた状態で、当該支持バーを前記一対の抱持片に対して相対的に回動させることで、当該支持バーが当該一対の抱持片に抱持される構成であり、
前記壁面に固定した状態で、前記支持バーは、前記壁面から離間した位置で、前記壁面に対して平行に保持される構成であることを特徴とする支持バー台座。
【請求項１４】
前記支持バーを保持した状態で、当該支持バーとの干渉を避けて前記固定部を介して前記壁面に固定可能であることを特徴とする請求項１１ないし１３のいずれかに記載の支持バー台座。
【請求項１５】
前記固定部は、前記保持部が保持する支持バーと壁面との離間範囲に納まる高さであることを特徴とする請求項１１ないし１４のいずれかに記載の支持バー台座。
【請求項１６】
前記保持部は、前記支持バーを構成する寸切りボルトを保持可能であることを特徴とする請求項１１ないし１５のいずれかに記載の支持バー台座。
【発明の詳細な説明】
【技術分野】
【０００１】
本発明は、壁面に固定される支持バーの任意の位置に配線・配管材を取着可能な配線・配管材支持装置、配線・配管材の配設構造、支持バー固定装置、及び支持バー台座に関するものである。
【背景技術】
【０００２】
壁面に沿って複数のケーブル（配線・配管材）Ｐを配設するための従来構造のケーブル支持具として、特許文献１に開示のものが知られている。当該ケーブル支持具は、長手方向に沿って所定間隔をおいて複数の連続孔１Ａが設けられて、壁面との間に間隔を有して配置される長方形板状の取付金具１と、当該取付金具１の各連続孔１Ａのそれぞれに取着可能な特定サイズのケーブルＰを支持するためのケーブル支持具２とから成る。
【０００３】
よって、上記ケーブル支持具では、取付金具１に対してケーブルＰの配置位置は定められていて、取付金具１に隣接して支持されるケーブルＰの間隔は定められているため、当該間隔を調整することは不能であると共に、前記ケーブル支持具２は、特定サイズのケーブルＰのみを支持可能であるため、支持するケーブルＰのサイズが変更されると、これに対応した別のケーブル支持具を使用する必要があり、使い勝手が悪かった。
【先行技術文献】
【特許文献】
【０００４】
【特許文献１】特開２００３−５２１１５号公報
【発明の概要】
【発明が解決しようとする課題】
【０００５】
本発明は、全長に亘って同一断面形状の支持バーを壁面に沿って設置することで、当該支持バーの任意の位置に配線・配管材を取着可能にして、配線・配管材の配設の自由度を高めることを課題としている。
【課題を解決するための手段】
【０００６】
上記課題を解決するための請求項１の発明は、棒状の支持バーと、
壁面への固定部、及び前記支持バーを壁面に対して離間した位置で、かつ当該支持バーの延びる方向が前記壁面に相対的に沿うように保持する保持部を備えた支持バー台座と、
前記支持バーの外面を挟持して当該支持バーの任意の位置に取着可能な取着部、及び配線・配管材を支持する支持部を備えた配線・配管材支持具と、
から成り、
前記支持バーが壁面に対して離間した位置とは、少なくとも前記配線・配管材が取着部を介して当該支持バーに取着可能となるような当該壁面からの間隔を有する位置であることを特徴としている。
【０００７】
請求項１の発明によれば、棒状の支持バーは、固定部を介して壁面に固定される支持バー台座を介して当該壁面に対して相対的に沿うように、換言すると、当該壁面に対して平行となるように、当該壁面に対して離間した位置に配置される。ここで、支持バーが壁面に対して離間した位置とは、少なくとも前記配線・配管材が取着部を介して当該支持バーに取着可能となるような当該壁面からの間隔を有する位置であるため、当該壁面に対して離間して、当該壁面に対して平行に配置された支持バーの任意の位置に、配線・配管材支持具が自身の取着部を介して取着されて、当該配線・配管材の支持部により配線・配管材が支持される。
【０００８】
棒状をなす支持バーは、自身を壁面に固定している支持バー台座の部分を除いて、長手方向に沿った任意の位置に配線・配管材を取着可能であるため、当該支持バーに対して隣接して取着されている配線・配管材支持具の間隔を自在に調整できる。この結果、複数の配線・配管材支持具、及び１本の支持バーを介して壁面に対して支持される複数の配線・配管材の個々の配置位置と、支持される配線・配管材の総本数を自在に調整できると共に、配線・配管材の配置後においても、その配置位置の変更も可能となって、配線・配管材の配設の自由度が高められる。
【０００９】
また、配線・配管材支持具を介して支持バーに支持される配線・配管材のサイズが変更された場合には、当該サイズの配線・配管材に対応した配線・配管材支持具を選択して、支持バーに取着することで、支持バーに対して異なるサイズの配線・配管材の支持も可能となる。その理由は、例えば配線・配管材のサイズが大きくなった場合には、これに対応して配線・配管材支持具のサイズも大きくなることが多いが、支持バーに対する配線・配管材支持具の取着は、当該支持具の間隔を広くして任意の位置に取着可能であるため、配線・配管材のサイズの変更に対しても対応可能となる。
【００１０】
請求項２の発明は、配線・配管材を壁面に沿って配設する構造であって、
棒状の支持バーが、壁面に固定された支持バー台座の保持部に保持されて、前記壁面に対して離間した位置で、当該壁面に対して平行に設置され、
当該支持バーには、当該支持バーの外面を挟持して、当該支持バーの任意の位置に取着可能な取着部、及び配線・配管材を支持する支持部を備えた配線・配管材支持具が、前記支持部により配線・配管材を支持した状態で、前記取着部を介して前記支持バーに取着されていることを特徴としている。
【００１１】
請求項２の発明は、請求項１の発明を、「配線・配管材の配設構造」の面から把握して表現したものである。
【００１２】
請求項３の発明は、請求項２の発明において、前記支持バーは、当該支持バーの延びる方向に所定間隔をおいて配置された複数の前記支持バー台座に保持されていることを特徴としている。
【００１３】
請求項３の発明によれば、棒状の支持バーが、当該支持バーが延びる方向に所定間隔をおいて配置された複数の支持バー台座に保持されているため、支持バーの配置位置が不動状態で確定され、配線・配管材支持具を介して配線・配管材を安定して支持できる。
【００１４】
請求項４の発明は、請求項２又は３の発明において、前記支持バーを保持している１つの前記支持バー台座を挟むようにして、その両側に前記配線・配管材支持具がそれぞれ取着されていることを特徴としている。
【００１５】
請求項４の発明によれば、支持バーにおける特定の支持バー台座の両側にそれぞれ配線・配管材支持具が取着されているため、支持バー台座を挟んで当該支持バーに取着された各配線・配管材支持具と、壁面に固定された支持バー台座との距離が短くなって、当該各配線・配管材支持具を支持バーに安定して取着できる。
【００１６】
請求項５の発明は、請求項２ないし４のいずれかの発明において、前記支持バーと前記壁面との間の隙間に、前記配線・配管材の取着部の一部が入り込んで、前記支持バーに対して前記壁面と反対側に前記配線・配管材支持具の支持部が配置されていることを特徴としている。
【００１７】
請求項５の発明によれば、前記支持バーと前記壁面との間の隙間に、配線・配管材の取着部の一部が入り込むことで、前記隙間を利用して、支持バーに配線・配管材が取着されて、当該支持バーにおける前記壁面と反対側の自由空間に配線・配管材支持具が配置される構造であるため、当該配線・配管材支持具を壁面に近接して配置させることができ、ひいては、当該配線・配管材支持具に支持される配線・配管材を壁面に近接させられる。この結果、壁面に対する配線・配管材支持具の占有空間を小さくできる。
【００１８】
請求項６の発明は、支持バーを壁面に固定する装置であって、
壁面に対して離間した位置で、当該壁面に対して平行となるように棒状の支持バーを保持するために、当該支持バーの延在方向に所定間隔をおいて壁面に対して固定配置される少なくとも２つの支持バー支持体と、
前記２つの支持バー支持体の間において、前記支持バーを壁面に固定するための支持バー中間固定具、
とから成り、
前記支持バー中間固定具は、前記２つの支持バー支持体が壁面から離間した位置と同位置において、抱持部により前記支持バーを抱持し、しかも固定部で前記壁面に固定可能であることを特徴としている。
【００１９】
請求項６の発明によれば、棒状の支持バーを保持する２つの支持バー支持体の間に配置される支持バー中間固定具は、当該２つの支持バー支持体と同様に壁面に固定され、しかも当該２つの支持バー支持体が壁面から離間した位置と同位置において、抱持部により前記支持バーを抱持する構成である。その結果、当該支持バーは、その全長に亘って壁面から同一間隔を保持して、２つの支持バー支持体及び支持バー中間固定具の計３つの固定部材により壁面に固定される構造となるので、壁面に対して支持バーが平行に配置された状態で、当該壁面に対して支持バーをしっかり固定できる。
【００２０】
請求項７の発明は、請求項６の発明において、前記支持バー中間固定具は、前記２つの支持バー支持体の間において支持されている支持バーを壁面から離れる方向に撓ませることで、前記支持バーと壁面との間に配置可能であり、当該配置状態で、支持バーに対して抱持可能であると共に、壁面に対して固定可能であることを特徴としている。
【００２１】
請求項７の発明によれば、２つの支持バー支持体により支持バーが壁面に固定されたままで、支持バーにおける前記２つの支持バー支持体の間に、後付けで支持バー中間固定具を配置固定して、支持バーにおける当該支持バー中間固定具の部分を当該支持バー中間固定具に抱持できる。この結果、２つの支持バー支持体により支持バーが壁面に固定された後において、当該２つの支持バー支持体を取り外すことなく、新たな支持バー中間固定具により、当該支持バーの中間部を支持することが可能となって、施工の自由度が高められると共に、２つの支持バー支持体を用いて支持バーを壁面に固定した後に、計３つの固定部材により支持バーを壁面に固定可能となって、当該支持バーの固定スパンが短くでき、壁面に対して支持バーをしっかり固定できる。
【００２２】
請求項８の発明は、請求項６又は７の発明において、前記支持バー中間固定具は、前記壁面に固定するための固定部と、前記支持バーに対して抱持される抱持部とを備え、
前記抱持部は、一対の抱持片が前記支持バーの軸方向に所定間隔をおいて対向して形成され、当該一対の抱持片の間に支持バーを、当該一対の抱持片の離間方向に対して傾斜配置させた状態で、当該支持バーを前記一対の抱持片に対して相対的に回動させることで、当該支持バーに当該一対の抱持片が抱持される構成であり、
前記支持バー中間固定具の抱持部は、前記２つの支持バー支持体により支持された支持バーの壁面からの離間距離と同一距離で、当該支持バーを抱持可能であることを特徴としている。
【００２３】
請求項８の発明によれば、２つの支持バー支持体の間に配置される支持バー中間固定具は、一対の抱持片が前記支持バーの軸方向に所定間隔をおいて対向して形成され、当該一対の抱持片の間に支持バーを、当該一対の抱持片の離間方向に対して傾斜配置させた状態で、当該支持バーを前記一対の抱持片に対して相対的に回動させることで、当該支持バーを当該一対の抱持片に抱持させる抱持部を備えているので、支持バーの長手方向の中間部を、簡単な回動操作により、支持バー中間固定具の抱持部にしっかり抱持させられる。
【００２４】
請求項９の発明は、請求項８の発明において、前記支持バー中間固定具は、壁面に固定した状態で、前記支持バーを抱持可能であって、しかも、抱持している支持バーに対して前記抱持部を回動させることで、当該支持バーを非抱持状態とすることが可能であることを特徴としている。
【００２５】
請求項９の発明によれば、支持バーの長手方向の中間部を支持バー中間固定具で抱持した状態で、その抱持部を支持バーに対して回動させることで、当該支持バーを非抱持状態にできるので、例えば、支持バー中間固定具が配置されていた部分に配線・配管材を配置する必要が生じた場合等に対応可能となる。
【００２６】
請求項１０の発明は、請求項６ないし９のいずれかの発明において、前記支持バー中間固定具と、前記支持バー支持体とは、同一形状であることを特徴としている。
【００２７】
請求項１０の発明によれば、支持バーを壁面に固定するための支持バー中間固定具と支持バー支持体とが同一形状であるため、その製作、管理、取り扱い等が容易となる。
【００２８】
請求項１１の発明は、配線・配管材支持具を取着するための棒状の支持バーを壁面に固定するための支持バー台座であって、
前記壁面への固定部を有する固定台座と、前記支持バーを保持する保持部を有する保持体とから成り、
前記固定台座と前記保持体とは、回動組付け部を介して回動可能に組み付けられ、
前記保持体の保持部は、前記固定台座を壁面に固定した状態で、前記支持バーを、壁面から離間した位置で当該壁面と平行に保持可能であることを特徴としている。
【００２９】
請求項１１の発明によれば、前記固定台座と前記保持体とは、回動組付け部を介して回動可能に組み付けられているため、支持バー台座の保持部で支持バーを保持した状態で、その固定台座を壁面に固定する支持バー台座の「後付け」において、支持バーの直下に固定台座の固定部が配置されて、当該固定台座の壁面への固定が不能となるのを回避するために、回動組付け部により、固定台座と保持体とを相対的に回動させて、固定台座の固定部を支持バーの直下から回避させることで、壁面に対する支持バー台座の固定が可能となる。また、壁面に支持バー台座が予め固定されている「先付け」の場合においても、予め壁面に固定されている固定台座に対して保持体を回動させることで、当該保持体に保持される棒状の支持バーの配置方向（延在方向）を定めることが可能となる。
【００３０】
請求項１２の発明は、請求項１１の発明において、前記保持体の保持部は、一対の抱持片が、当該一対の抱持片で抱持される前記支持バーの軸方向に所定間隔をおいて対向して形成され、当該一対の抱持片の間に支持バーを、当該一対の抱持片の離間方向に対して傾斜配置させた状態で、当該支持バーを当該一対の抱持片に対して相対的に回動させることで、当該支持バーは当該一対の抱持片に抱持されることを特徴としている。
【００３１】
請求項１２の発明によれば、保持体の保持部を構成する一対の抱持片の間に支持バーを、当該一対の抱持片の離間方向に対して傾斜配置させた状態で、当該支持バーを当該一対の抱持片に対して相対的に回動させることで、当該支持バーは当該一対の抱持片に抱持される構成であるので、支持バー台座の「先付け」及び「後付け」のいずれの場合においても、その保持体の保持部に対する支持バーの保持操作を容易に行えて、前記支持バーに対して一対の抱持片をしっかり保持できる。
【００３２】
請求項１３の発明は、壁面への固定部と、配線・配管材支持具が取着される棒状の支持バーを保持する保持部とを備え、当該支持バーを壁面に固定するための支持バー台座であって、
前記保持部は、一対の抱持片が、当該一対の抱持片で抱持される前記支持バーの軸方向に所定間隔をおいて対向して形成され、当該一対の抱持片の間に支持バーを、当該一対の抱持片の離間方向に対して傾斜配置させた状態で、当該支持バーを前記一対の抱持片に対して相対的に回動させることで、当該支持バーが当該一対の抱持片に抱持される構成であり、
前記壁面に固定した状態で、前記支持バーは、前記壁面から離間した位置で、前記壁面に対して平行に保持される構成であることを特徴としている。
【００３３】
請求項１３の発明は、請求項１１の発明において、固定台座に対応する固定部と、保持体に対応する保持部とが、回動組付け部を介して回動可能に組み付けられている要件を欠落させた点が異なるのみであり、支持バーを壁面に固定した状態で、当該支持バーは、当該壁面から離間した位置で、当該壁面に対して平行に保持される構成は同一である。
【００３４】
請求項１４の発明は、請求項１１ないし１３のいずれかに記載の発明において、前記支持バーを保持した状態で、当該支持バーとの干渉を避けて前記固定部を介して前記壁面に固定可能であることを特徴としている。
【００３５】
請求項１４の発明によれば、支持バー台座の保持部に支持バーを保持させた後に、当該支持バーとの干渉をさけて、当該支持バー台座の固定部を壁面に固定できるので、支持バーに対して支持バー台座が取着された状態において、当該支持バー台座を壁面に固定する「後付け」において、当該支持バー台座を壁面に固定できて、当該支持バーを壁面に対して平行に配置固定するための施工の自由度が高められる。
【００３６】
請求項１５の発明は、請求項１１ないし１４のいずれかの発明において、前記固定部は、前記保持部が保持する支持バーと壁面との離間範囲に納まる高さであることを特徴としている。
【００３７】
請求項１５の発明によれば、支持バー台座の固定部は、前記保持部が保持する支持バーと壁面との離間範囲に納まる高さであるため、当該支持バー台座を壁面に「先付け」した場合には、当該支持バー台座の固定部の直上に支持バーを重なった状態で配置させることもできて、支持バーに対する支持バー台座の配置位置の自由度が高められると共に、当該支持バーに対する支持バー台座の収まり（配置状態）がよくなって、見栄えがよくなる。
【００３８】
請求項１６の発明は、請求項１１ないし１５のいずれかの発明において、前記保持部は、前記支持バーを構成する寸切りボルトを保持可能であることを特徴としている。
【００３９】
寸切りボルトは、その表面のねじ山の凹凸が抵抗となって、支持バー台座の保持部に支持バーを保持させた状態で、当該支持バーが軸方向にずれない利点があると共に、配線・配管材の施工業者は、外径及び長さの異なる種々の寸切りボルトを常時保有していることが多いので、入手が容易でもある。
【発明の効果】
【００４０】
本発明によれば、棒状の支持バーは、固定部を介して壁面に固定される支持バー台座を介して当該壁面に対して平行となるように、しかも当該壁面に対して離間した位置に配置される。よって、支持バーは、自身を壁面に固定している支持バー台座の部分を除いて、長手方向に沿った任意の位置に配線・配管材を取着可能であるため、当該支持バーに隣接して取着されている配線・配管材支持具の間隔を自在に調整でき、この結果、複数の配線・配管材支持具と、１本の支持バーを介して壁面に対して支持される複数の配線・配管材の個々の配置位置と、支持される総本数を自在に調整できると共に、配線・配管材の配置後においても、その配置位置の変更が可能である。
【００４１】
また、配線・配管材支持具を介して支持バーに支持される配線・配管材のサイズが変更された場合には、当該サイズの配線・配管材に対応した配線・配管材支持具を選択して、支持バーに取着することで、支持バーに対して異なるサイズの配線・配管材の支持も可能となる。
【図面の簡単な説明】
【００４２】
【図１】支持バー台座Ｖを構成する固定台座Ｆと保持体Ｈとを分離させた状態の斜視図である。
【図２】（ａ），（ｂ）は、それぞれ固定台座Ｆと保持体Ｈとが組み付けられた支持バー台座Ｖを異なる方向から見た斜視図である。
【図３】（ａ），（ｂ）は、それぞれ支持バー台座Ｖを構成する固定台座Ｆと保持体Ｈとが、回動方向に沿って相対的に異なる位置に配置された状態を示す斜視図である。
【図４】（ａ）は、固定台座Ｆと保持体Ｈとの組付け回動中心Ｃと、釘固定用スリーブ１３の軸心とを結ぶ方向と、取着体Ａの一対の抱持片２６で抱持される支持バーＢの軸心方向とが直交した状態の支持バー台座Ｖの平面図であり、（ｂ），（ｃ）は、それぞれ（ａ）のＸ1 −Ｘ1 線及びＹ−Ｙ線の断面図である。
【図５】（ａ）は、固定台座Ｆと保持体Ｈとの組付け回動中心Ｃと、釘固定用スリーブ１３の軸心とを結ぶ方向と、取着体Ａの一対の抱持片２６で抱持される寸切りボルトから成る支持バーＢの軸心方向とが合致した状態の支持バー台座Ｖの平面図であり、（ｂ）は、（ａ）のＸ2 −Ｘ2 線の断面図である。
【図６】（ａ），（ｂ）は、支持バー台座Ｖの保持体Ｈに対して支持バーＢを保持させる前後の斜視図である。
【図７】（ａ）は、支持バー台座Ｖの保持体Ｈに対して支持バーＢが保持された状態の正面図であり、（ｂ）は、（ａ）のＺ−Ｚ線断面図である。
【図８】支持バー台座Ｖの保持体Ｈで保持された支持バーＢの軸心に対して固定台座Ｆの配置位置が変更可能であることを示す平面図である。
【図９】（ａ），（ｂ）は、支持バーＢの一端部に支持バー台座Ｖが「先付け」により取着されて、当該支持バーＢの延在方向を定めた後に、当該支持バー台座Ｖを壁面Ｗ1 （Ｗ2 ）に固定する前後の図である。
【図１０】（ａ），（ｂ）は、それぞれ施工済の支持バーＢの取外し前後の斜視図である。
【図１１】（ａ），（ｂ）は、それぞれ垂直配置された支持バーＢが一対の支持バー台座Ｖを用いて側壁面Ｗ1 に固定された状態の正面図、及び断面図である。
【図１２】垂直配置状態で側壁面Ｗ1 に固定された支持バーＢに、３個の配線・配管材支持具Ｓ1 を用いて３本のケーブルＫがピッチＰ1 をおいて支持された状態の斜視図である。
【図１３】同様の支持バーＢに、４本のケーブルＫがピッチＰ2 をおいて支持された状態の斜視図である。
【図１４】（ａ），（ｂ）は、それぞれ配線・配管材支持具Ｓ1 の取着部３１を異なる方向から見た斜視図である。
【図１５】（ａ）は、配線・配管材支持具Ｓ1 の正面図であり、（ｂ），（ｃ）は、それぞれ支持バーＢに取着される前後の配線・配管材支持具Ｓ1 の平面図である。
【図１６】垂直配置状態で側壁面Ｗ1 に固定された支持バーＢに、２個の配線・配管材支持具Ｓ2 を用いて積層状態の２組のケーブルＫが支持された状態の斜視図である。
【図１７】配線・配管材支持具Ｓ2 を背面側から見た斜視図である。
【図１８】（ａ），（ｂ）は、それぞれ垂直配置された支持バーＢを２個の支持バー台座Ｖで側壁面Ｗ1 に固定配置した状態で、当該支持バーＢの両端の保持間隔が長い場合において、当該支持バーＢをわん曲させて、その中央部に別の支持バー台座Ｖを配置する前後を示す斜視図ある。
【図１９】天井壁面Ｗ2 に水平に固定配置された支持バーＢに、配線・配管材支持具Ｓ3 を用いて３層に積層状態の３組のケーブルＫを支持した状態の正面図である。
【図２０】天井壁面Ｗ2 に形成された凹部７３を跨いで支持バーＢが固定配置された状態を示す正面図である。
【図２１】側壁面Ｗ1 に垂直配置状態で固定された支持バーＢが、当該側壁面Ｗ1 の上端部に形成された大きな段差部７４を超えて配置されている状態を示す正面図である。
【図２２】側壁面Ｗ1 に水平配置状態で固定された複数本の支持バーＢに対して２本のパイプ体Ｄ3 が配線・配管材支持具Ｓ3 を用いて垂直に支持された状態を示す斜視図である。
【図２３】垂直配置された短い支持バーＢが１個の支持バー台座Ｖにより側壁面Ｗ1 に固定され、当該支持バーＢに配線・配管材支持具Ｓ2 を介して３層のケーブルＫが支持された状態を示す斜視図である。
【図２４】固定台座Ｆ’と保持体Ｈ’とが一体となった支持バー台座Ｖ’の斜視図である。
【発明を実施するための形態】
【００４３】
以下、実施例を挙げて、本発明について更に詳細に説明する。支持バー台座Ｖは、支持バーＢを側壁面Ｗ1 ，天井壁面Ｗ2 等の壁面に対して平行に固定するための固定部材であって、図１〜図５に示されるように、壁面に固定される固定部２を有する固定台座Ｆと、当該固定台座Ｆに対して係止構造により回動可能に組み付けられる正八角形厚板状の保持体Ｈとで構成される。固定台座Ｆと保持体Ｈとは、いずれも樹脂の射出成形により形成される。
【００４４】
固定台座Ｆは、保持体Ｈが回動可能に組み付けられる正八角形盤状の回動組付け部１と、壁面に固定される固定部２とが一体に形成され、裏面側には、２つの凹部３，４〔図２（ｂ）参照〕を有しているが、当該各凹部３，４の周辺部を形成する部分の端面は、壁面に密着可能なように、前記固定部２の底板部１８の底面と同一の平面上に存在している。固定台座Ｆの回動組付け部１は、全周に亘って一定厚を有していて、保持体Ｈの全体形状に対応して正八角形盤状をなしており、上面側には、保持体Ｈの不完全円環壁部２２及び対向配置された一対の弾性壁部２３を収容して配置可能とする非貫通の円環状の配置空間部５が形成され、当該配置空間部５の内側に、前記不完全円環壁部２２の変形を防止するための配置空間部５と同心の円リング状の変形防止部６が形成されている。円リング状の変形防止部６の内側は、貫通孔となっている。円リング状の変形防止部６の端面を含む回動組付け部１の各部の端面は、保持体Ｈを密着可能とするために、同一平面上に配置されている。
【００４５】
前記配置空間部５の内周面５ａにおける対向する部分には、一対の被係止爪７が形成されている。一対の被係止爪７は、前記配置空間部５の内周面５ａに沿って形成されているため、円弧状をなしている。なお、正八角形盤状の回動組付け部１の複数の対向辺部のうち固定台座Ｆの対向側面となる各辺部には、正八角形厚板状の保持体Ｈが当該回動組付け部１に、外形が合致した状態で組み付けられたことを視認可能とする合致視認用凹部８が厚さ方向に沿って形成されている。また、前記配置空間部５の底面を形成する中間底部９における前記一対の被係止爪７に対応する部分には、射出成形時においてアンダーカット部となる当該一対の被係止爪７を成形可能とするためのスライド型の存在により形成された貫通孔部１１が形成されている。
【００４６】
また、支持バー台座Ｖの回動組付け部１には、当該支持バー台座Ｖを壁面に固定するための固定部２が一体に形成され、図４（ｃ）に示されるように、当該固定部２は、回動組付け部１の中間底部９よりも下方側（壁面に固定された状態で当該壁面の側）に配置され、当該回動組付け部１と固定部２との段差による一体連結強度の低下を防止するために、両部１，２は、その周縁部において一対の傾斜補強壁部１２で連結されている。図４及び図５に示されるように、固定部２は、回動組付け部１に連結された側から、先端側である釘固定用スリーブ１３の側に向けて漸次幅が狭く形成されて、当該釘固定用スリーブ１３が設けられている部分は、正面視において当該釘固定用スリーブ１３の軸心を中心とする半円状に形成されている。固定部２の上面側には、釘固定用スリーブ１３の軸心を中心とする円形の凹部１４が形成されて、当該凹部１４の底部には、前記釘固定用スリーブ１３が起立して一体に形成されて、支持バー台座Ｖを壁面に固定する際に、当該壁面に密着する底板部１８が設けられ、当該底板部１８の中心部に、釘固定用スリーブ１３が起立して一体に形成されている。釘固定用スリーブ１３には、釘Ｎを挿通させる釘挿通孔１５が貫通して形成され、当該釘固定用スリーブ１３の外周面には、複数のリブ１６が周方向に一定間隔をおいて全高に亘って形成され、当該釘固定用スリーブ１３の外周には、釘打機（図示せず）の衝撃力により、釘固定用スリーブ１３及びその外周の各リブ１６が押し潰される際に、周囲に無造作に拡がるのを規制するリング状の規制壁１７が形成されている。なお、図４（ｃ）に示されるように、釘固定用スリーブ１３は、回動組付け部１の上面まで達しており、リング状の規制壁１７は、前記凹部１４の深さの半分程度である。
【００４７】
一方、保持体Ｈは、正八角形厚板状の本体部２１の裏面に、円環方向に沿って同一周長の一対の分割不完全円環壁部２２ａから成る不完全円環壁部２２が対向配置された状態で突出して形成され、各分割不完全円環壁部２２ａの間に、一対の弾性壁部２３が対向配置された状態で突出して形成されている。換言すると、不完全円環壁部２２は、円環の対向する２箇所を欠落させて形成される。一対の弾性壁部２３及び一対の分割不完全円環壁部２２ａの外側には、それぞれ前記固定台座Ｆの回動組付け部１に設けられた各被係止爪７が係止される第１及び第２の各係止爪２４，２５が、円環方向の全周に亘って形成されている。第１係止爪２４には、固定台座Ｆと保持体Ｈとを互いに押圧させて、当該保持体Ｈの第１係止爪２４を固定台座Ｆの被係止爪７に係止させる際に、当該被係止爪７の傾斜弾接面７ａを弾接させる傾斜弾接面２４ａ〔図４（ｂ）参照〕が形成されている。しかし、第２係止爪２５と被係止爪７との係止は、固定台座Ｆと保持体Ｈとが、被係止爪７と第１係止爪２４との係止構造により連結された後に、両部材Ｆ，Ｈを相対的に回動させることで、はじめて係止する構造になっているので、当該第２係止爪２５における前記第１係止爪２４の傾斜弾接面２４ａに対する面は、本体部２１の内面に対して垂直に形成されている〔図４（ｃ）及び図５（ｂ）参照〕。保持体Ｈの不完全円環壁部２２と一対の弾性壁部２３とは、前記固定台座Ｆに対して当該保持体Ｈを相対的に回動可能に組み付けるための回動組付け部２０を構成している。
【００４８】
また、本体部２１の外面における正八角形の対向する各辺の間には、支持バーＢに対して取外し可能な一対の抱持片２６が、当該一対の抱持片２６で抱持される支持バーＢの軸方向に沿って所定間隔をおいて対向して形成されている。横断面が円弧状をした一対の抱持片２６は、弾性変形可能であって、互いに反対の方向に支持バーＢの挿入開口２６ａが形成されている。ここで、各弾性壁部２３は、不完全円環壁部２２に比較して薄肉であって、しかも円環方向に沿った周長が短いので、当該円環方向と直交する円環直交方向（円リング状の変形防止部の半径方向）に沿った外力が作用すると、円環直交方向に沿って弾性変形されるが、各分割不完全円環壁部２２ａは、円環方向に沿った周長が弾性壁部２３に比較して遥かに長いので、円環直交方向の外力が作用しても、変形されない構造となっている。また、正八角形厚板状の本体部２１における一対の抱持片２６が設けられていない残りの６辺の各部分には、固定台座Ｆの回動組付け部１と保持体Ｈの本体部２１との各辺の合致状態を視認するための合致視認用凹部２７がそれぞれ形成されている。なお、図２〜図５において、２８は、保持体Ｈの本体部２１の表面に形成されて、支持バーＢが寸切りボルトである場合に、当該寸切りボルトの雄ねじ部と部分螺合されて、保持体Ｈに対して寸切りボルトが軸方向にずれるのを防止する部分雌ねじ部を示す。
【００４９】
そして、図１に示されるように、固定台座Ｆの一対の被係止爪７と保持体Ｈの各弾性壁部２３に形成された一対の第１係止爪２４とを、円環方向に沿って位相を合致させた状態で、当該固定台座Ｆと保持体Ｈとを互いに押圧させると、保持体Ｈの各分割不完全円環壁部２２ａと各弾性壁部２３とが円環方向に沿って連続して円環壁部となった部分が、固定台座Ｆの配置空間部５における円リング状の変形防止部６の外側に挿入配置されると共に、保持体Ｈの各弾性壁部２３が内方に弾性変形された後に、原形状に復元することで、保持体Ｈの各弾性壁部２３の外側に設けられた各第１係止爪２４と、固定台座Ｆの各被係止爪７とが互いに係止される。これにより、固定台座Ｆと保持体Ｈとは、各回動組付け部１，２０を介して固定台座Ｆの円リング状の変形防止部６の軸心を回動中心Ｃとして、自由回転可能（３６０°を超える回転が可能であること）に組み付けられる。
【００５０】
また、固定台座Ｆと保持体Ｈとが相対的に回動可能に組み付けられた支持バー台座Ｖは、釘固定用スリーブ１３の釘挿通孔１５に釘Ｎを挿通した状態で、釘打機により、当該釘Ｎに衝撃力を加えて、釘固定用スリーブ１３及びその周囲の各リブ１６が押し潰すことで、当該釘Ｎが壁面に突刺されて、当該壁面Ｗ1 （Ｗ2 ）に支持バー台座Ｖが固定される（図１０及び図１１参照）。
【００５１】
このため、上記した支持バー台座Ｖを使用して、棒状の支持バーＢを側壁面Ｗ1 、天井壁面Ｗ2 等の壁面に、平行を維持して固定配置して、当該壁面に固定配置された支持バーＢに、１ないし複数の配線・配管材支持具Ｓ1 ，Ｓ2 を取着して、各配線・配管材支持具Ｓ1 ，Ｓ2 に、それぞれ配線・配管材であるケーブルＫ又はパイプ体Ｄ1 〜Ｄ3 が支持される（図１１、図１２、図１６及び図１８参照）。そして、支持バーＢは、棒状をなしているため、当該支持バーＢにおける当該支持バーＢを壁面に固定している支持バー台座Ｖの配置部を除く残りの任意の部分に、１ないし複数の配線・配管材支持具Ｓ1 ，Ｓ2 を取着可能である。その結果、支持バーＢに取着される配線・配管材支持具Ｓ1 ，Ｓ2 の取着位置、及びその数を任意に変えられるため、各配線・配管材支持具Ｓ1 ，Ｓ2 に隣接して支持される各ケーブルＫ、パイプ体Ｄ1 〜Ｄ3 等の配線・配管材の間隔を、当該配線・配管材のサイズ等に応じて自在に調整できる。
【００５２】
また、配線・配管材支持具Ｓ1 ，Ｓ2 を介して支持バーＢに支持されるケーブルＫ、パイプ体Ｄ1 〜Ｄ3 等の配線・配管材のサイズが変更された場合には、当該サイズの配線・配管材に対応した配線・配管材支持具を選択して、支持バーＢに取着することで、支持バーＢに対して異なるサイズの配線・配管材の支持も可能となる。その理由は、例えば配線・配管材のサイズが大きくなった場合には、これに対応して配線・配管材支持具のサイズも大きくなることが多いが、支持バーＢに対する配線・配管材支持具の取着は、当該支持具の間隔を広くして任意の位置に取着可能であるため、配線・配管材のサイズの変更に対しても対応可能となる。
【００５３】
ここで、支持バーＢとして、実施例では、全長に亘って雄ねじ部が形成された寸切りボルトが例示されている。寸切りボルトは、「長ねじ」とも称されており、全長に形成された雄ねじ部のねじ山を利用することで、当該雄ねじ部と、保持体Ｈにおける当該寸切りボルトの当接部に形成された部分雌ねじ部との螺合によって、支持バー台座Ｖを構成する保持体Ｈに対する寸切りボルトの保持固定、及び当該寸切りボルトに対する配線・配管材支持具Ｓ1 ，Ｓ2 の取着部３１，４１の取着固定において、当該寸切りボルトに対して前記支持バー台座Ｖの保持体Ｈ、及び配線・配管材支持具Ｓ1 ，Ｓ2 の取着部３１，４１が、当該寸切りボルトの軸方向に沿って相対的にずれるのを防止できる利点がある。しかも、配線・配管材の施工業者は、サイズの異なる複数の寸切りボルトを保有していることが多いので、簡単に入手できる。しかし、本発明においては、支持バーＢは、形状的には「棒状」であることのみが要件であって、外周に雄ねじ  Ｖが形成されていない丸バー、断面が角形の角バー等の使用も可能である。
【００５４】
支持バー台座Ｖの保持体Ｈに、寸切りボルトから成る支持バーＢを保持させるには、図６（ａ）に示されるように、当該保持体Ｈを構成する一対の抱持片２６の間に支持バーＢを配置させた状態で、即ち、当該一対の抱持片２６の離間方向に対して抱持予定の支持バーＢの軸心を交差させた状態で、当該抱持予定の支持バーＢを回動しないように保持しておいて、支持バー台座Ｖの固定台座Ｆに対して保持体Ｈを図示で反時計方向に回動させて、図６（ｂ）及び図７に示されるように、一対の抱持片２６に支持バーＢを抱持させることで、支持バー台座Ｖに対して支持バーＢが保持される。逆に、支持バー台座Ｖの固定台座Ｆに対して保持体Ｈを回動しないように維持した状態で、当該保持体Ｈに対して支持バーＢの全体を、図示で時計方向に回動させることで、一対の抱持片２６に支持バーＢを抱持させて、支持バー台座Ｖに対して支持バーＢを保持させることもできる。このように、支持バー台座Ｖの保持体Ｈの一対の抱持片２６の間に支持バーＢを配置して、そのいずれか一方を回動しないように維持した状態で、当該保持体と支持バーＢとを相対的に回動させることで、一対の抱持片２６に支持バーＢを抱持させて、支持バー台座Ｖに対して支持バーＢを保持させられる。
【００５５】
また、図６（ｂ）及び図７（ｂ）では、一対の抱持片２６で抱持された支持バーＢと、支持バー台座Ｖを構成する固定台座Ｆとの配置関係は、当該支持バーＢの軸心又は当該軸心の延長線の直下に、固定台座Ｆに設けられた釘固定用スリーブ１３が配置される関係、換言すると、支持バー台座Ｖが壁面Ｗ1 （Ｗ2 ）に固定された状態において、当該固定台座Ｆの固定部２は、保持体Ｈで保持された支持バーＢと壁面Ｗ1 （Ｗ2 ）との間の空間部に配置される関係となっているため、狭い場所においても、支持バー台座Ｖの固定が可能となって、当該支持バー台座Ｖの固定に係る施工の自由度が高められると共に、支持バーに対する支持バー台座の収まりがよくなって、支持バーと支持バー台座とが整然と配置される。
【００５６】
また、支持バー台座Ｖを構成する固定台座Ｆと保持体Ｈとは、各回動組付け部１，２０の共通の回動中心Ｃを中心にして自由回動可能な構造となっているために、図８に示されるように、保持体Ｈで保持された支持バーＢの軸心又はその延長線に対する固定台座Ｆの配置位置は、自由に変更できる。この構造により、壁面に支持バー台座Ｖを先に固定しておいて、その後に、当該壁面に固定された１又は複数の支持バー台座Ｖの保持体Ｈに対して支持バーＢを保持させるという支持バー台座Ｖの「先付け」と、１又は複数の支持バー台座Ｖの保持体Ｈに支持バーＢを先に保持させておき、その後に、支持バーＢの延在方向（配置方向）を確定させた後に、１又は複数の支持バー台座Ｖを壁面に固定させるという支持バー台座Ｖの「後付け」とを自在に選択できると共に、複数の支持バー台座Ｖを使用して支持バーＢを壁面に固定配置させる場合には、両工法の併用も可能であって、支持バー台座Ｖの「先付け」及び「後付け」の選択が可能となり、その結果、配線・配管材の施工の自由度が高められるのが、本実施例の特有の利点である。支持バー台座Ｖの「後付け」の場合には、当該支持バーＢ、及び周辺に障害物が存在する場合には、当該障害物との干渉を回避して、当該支持バーＢの延在方向を定めながら、当該支持バー台座Ｖを固定できる利点がある。
【００５７】
図８において、支持バー台座Ｖを構成する固定台座Ｆのうち、実線で示す「第１位置」では、釘固定用スリーブ１３の直上に支持バーＢが存在する場合には、当該支持バー台座Ｖは「先付け」のみ施工可能であり、１点鎖線又は２点鎖線で示す前記「第１位置」を除く「第２位置」では、支持バー台座Ｖは「先付け」及び「後付け」のいずれでも可能である。２点鎖線は、例えば、支持バー台座Ｖの配置位置の周辺に存在する障害物７１を回避して、支持バー台座Ｖを配置する例である。即ち、支持バー台座Ｖの「先付け」は、無条件に可能であるが、支持バー台座Ｖを構成する固定台座Ｆに対して保持体Ｈが回動可能な構造であるので、支持バーＢに予め取着された支持バー台座Ｖの「後付け」に関しては、支持バーＢに対する支持バー台座Ｖの固定台座Ｆの固定部２の干渉を回避する位置に当該固定部２を配置させることを条件として、可能である。支持バー台座Ｖの「先付け」及び「後付け」は、支持バーＢの配置固定対象である各種壁面における当該支持バーの配置高さ位置、当該壁面上における干渉物の存在、施工者特有の作業上の癖等を考慮して、自在に選択可能である。
【００５８】
本実施例の支持バー台座Ｖは、固定台座Ｆと保持体Ｈとが相対的に回動可能な構造となっているため、固定部２が一つであっても、固定台座Ｆと保持体Ｈとを相対的に回動させることて、上記した「第１位置」及び「第２位置」のいずれの場合でも、同一の固定部２によって、支持バー台座Ｖを壁面に固定可能であるが、当該固定台座Ｆに「第１位置」及び「第２位置」に対応する固定部をそれぞれ個別に設けてもよい。
【００５９】
ここで、支持バーＢは、側壁面Ｗ1 、天井壁面Ｗ2 などの各種壁面上において、当該支持バーＢの固定配置位置及びその延在方向を定めて固定配置される。当該支持バーＢの延在方向を定めるには、（１）各種壁面における支持バーＢの延在方向上に存在する「特定線分」上に予め１ないし複数（多くの場合は、複数）の支持バー台座Ｖを「先付け」により固定して、「先付け」された複数の支持バー台座Ｖの保持体Ｈに対して支持バーＢを保持させる「第１施工方法」と、（２）特定の１つの支持バー台座Ｖを前記「特定線分」上の特定位置に「先付け」で固定しておき、支持バーＢの一端部又は中間部に、別の支持バー台座Ｖを取着した後に、当該支持バーＢを前記「特定線分」上に配置されるまで、固定済の支持バー台座Ｖの回動中心Ｃを中心にして回動させて、当該支持バーＢの配置位置を確定させ、この状態で、当該支持バーＢの他端部に取着された別の支持バー台座Ｖを壁面類に「後付け」で固定する「第２施工方法」とがある。
【００６０】
図９に、上記した「第２施工方法」の具体例が示されている。図９（ａ）は、支持バーＢの延在方向Ｑに沿った「特定線分」上に、１つの支持バー台座Ｖが「先付け」により固定されている。「特定線分」上に支持バー台座Ｖが固定されているとは、当該支持バー台座Ｖの回動中心Ｃと釘固定用スリーブの軸心のいずれもが前記「特定線分」上に位置していることをいう。次に、「特定線分」上に「先付け」により固定された支持バー台座Ｖの保持体Ｈに、他端部に別の支持バー台座Ｖが予め取着された支持バーＢの一端部を支持させる。この状態では、他端部に別の支持バー台座Ｖが取着された支持バーＢは、図９（ａ）に示されるように、側壁面Ｗ1 に固定済の支持バー台座Ｖの回動中心Ｃを中心に左右に振れ動き可能となっている。その後に、支持バーＢを振れ動かして自身の延在方向Ｑ上に存在する前記「特定線分」上に支持バーＢを配置させた状態で、当該支持バーＢの他端部に取着されている支持バー台座Ｖを側壁面Ｗ1 に「後付け」で固定させると、図９（ｂ）に示されるように、当該支持バーＢは、定められた延在方向Ｑに沿って配置される。なお、「後付け」に係る支持バー台座Ｖは、その固定部２を側方にずらすことで、支持バーＢとの干渉を回避して側壁面Ｗ1 に固定させる必要がある。
【００６１】
また、図１０には、施工済の支持バーＢの取外し前後の斜視図が示されている。支持バー台座Ｖは、固定台座Ｆに対して保持体Ｈが回動可能であるので、支持バーＢの施工後において、何らかの理由により、当該支持バーＢの配置空間７２の利用の必要が発生した場合等においては、施工済の支持バー台座Ｖの固定台座Ｆに対して保持体Ｈを回動させることで、当該支持バーＢの取外しを簡単に行える。これにより、支持バーＢが配置されていた配置空間７２を利用できる。
【００６２】
上記した支持バーＢ及び支持バー台座Ｖを用いて、側壁面Ｗ1 に複数本のケーブルＫを水平に配置するには、以下のようにして行う。図１１及び図１２には、２個の支持バー台座Ｖを用いて、側壁面Ｗ1 に対して支持バーＢが、当該側壁面Ｗ1 に対して平行であって、しかも絶対空間に対して垂直に固定配置されている。即ち、支持バーＢの両端部は、側壁面Ｗ1 に固定された各支持バー台座Ｖの各保持体Ｈに保持され、本施工例では、各支持バー台座Ｖの各保持体Ｈで保持された支持バーＢの両端は、当該各支持バー台座Ｖの固定台座Ｆの釘固定用スリーブ１３の部分まで達していないので、側壁面Ｗ1 に対する各支持バー台座Ｖの固定は、「先付け」及び「後付け」のいずれでも可能であり、更に、併用も可能である。なお、図７（ｂ）で２点鎖線、及び図８で実線で示されるように、支持バーＢが支持バー台座Ｖの釘固定用スリーブ１３の部分まで達している場合には、当該支持バーＢと側壁面Ｗ1 との間に支持バー台座Ｖの固定台座Ｆを配置させる場合には、当該支持バー台座Ｖは、「先付け」による他はない。
【００６３】
そして、図１１〜図１３に示されるように、２個の支持バー台座Ｖを用いて側壁面Ｗ1 に対して平行であって、絶対空間に対して垂直配置された支持バーＢには、配線・配管材支持具Ｓ1 を介して複数本のケーブルＫが水平に支持される。配線・配管材支持具Ｓ1 は、図１２〜図１５に示されるように、金属で成形されて、支持バーＢに取着される取着部３１と、当該取着部３１に一体に設けられて配線・配管材支持具Ｓ1 を支持するＵ字状の支持部３２とから成る。
【００６４】
取着部３１は、対向する側板部３３ａ，３３ｂの一方の側端部が連結板部３４で連結されていて、各側板部３３ａ，３３ｂを、開口側が互いに近接するように押圧させた状態で、当該押圧力を解除させると、開口が広くなる原形状に復元するような弾性復元力を有している。一方の側板部３３ａの上下の各端部に、それぞれ挟持板部３５ａが他方の側板部３３ｂの側に向け、しかも上下方向に沿って対向するように形成されていると共に、他方の側板部３３ｂの上下の各端部に、それぞれ挟持板部３５ｂが前記各挟持板部３５ａの内側に配置されるようにして、上下方向に対向した状態で形成された構成である。これにより、各側板部３３ａ，３３ｂの上下端部において、それぞれ一組となった各挟持板部３５ａ，３５ｂが所定間隔をおいて上下方向に重なった状態で配置される。一組となった各挟持板部３５ａ，３５ｂには、連結板部３４と反対側に開口した深溝部３６ａ，３６ｂが形成され、各深溝部３６ａ，３６ｂの奥部の対向する部分には、支持バーＢの外径に対応した円弧状凹部３７ａ，３７ｂがそれぞれ形成されている。このため、各側板部３３ａ，３３ｂの開口側が狭くなるように押圧させて、各深溝部３６ａ，３６ｂの開口の合致幅を広くして、当該合致状態の開口から支持バーＢを各深溝部３６ａ，３６ｂに挿入して、前記押圧力を解除すると、各側板部３３ａ，３３ｂの開口側が離間して、各深溝部３６ａ，３６ｂの各円弧状凹部３７ａ，３７ｂの間に支持バーＢが、前記各側板部３３ａ，３３ｂの弾性復元力により挟持されることで、当該支持バーＢに配線・配管材支持具Ｓ1 が取着される〔図１５（ｃ）参照〕。なお、支持部３２は、支持バーＢを挿入させる挿通開口の側から奥部に向けて幅広となるようなＵ字状をなしている。
【００６５】
そして、側壁面Ｗ1 と平行を保持して絶対空間に対して垂直配置された支持バーＢに対して配線・配管材支持具Ｓ1 を用いてケーブルＫを支持させるには、図１２に示されるように、上記した要領により、支持バーＢに対して取着部３１により複数の配線・配管材支持具Ｓ1 を垂直方向に垂れ下がった状態で取着させ、各配線・配管材支持具Ｓ1 の支持部３２の挿入開口からケーブルＫを挿入して支持させる。これにより、複数本（図示例では３本）のケーブルＫが上下方向に沿って一定ピッチＰ1 をおいて水平に支持される。
【００６６】
配線・配管材支持具Ｓ1 は、支持バーＢの任意の位置に取着可能であるので、同一の支持バーＢに対して支持されるケーブルＫの本数を増減させられる。図１３は、支持バーＢに対する配線・配管材支持具Ｓ1 の取着位置を変更することで、支持バーＢに支持されるケーブルＫの本数を３本から４本に増加させた場合であって、４本のケーブルＫは、前記ピッチＰ1 よりも小さなピッチＰ2 で配置さる。
【００６７】
また、図１６には、２個の支持バー台座Ｖを用いて側壁面Ｗ1 に対して平行であって、絶対空間に対して垂直に固定配置された前記支持バーＢに、配線・配管材支持具Ｓ2 を介して３層に積層状態の２組のケーブルＫが水平に支持された状態が示されている。配線・配管材支持具Ｓ2 は、図１６及び図１７に示されるように、樹脂で成形されて、背面側に配置される取着部４１と、前面側に配置される支持部４２とが一体に形成され、当該取着部４１は、前記支持バー台座Ｖの保持体Ｈに設けられた２個の抱持片２６と同一構造の２個の取着片４１ａが本体板部４３における支持部４２と反対側に一体に設けられた構成であり、前記支持部４２は、当該本体板部４３を一部に含んでＵ字状に形成されている。本体板部４３には、支持部４２の挿入開口を覆って、当該支持部４２で支持しているケーブルＫが抜け出るのを防止する弾性変形可能な抜止片４４が設けられている。配線・配管材支持具Ｓ2 の支持部４２には、当該抜止片４４を内方に弾性変形させることで、挿入開口からケーブルＫが内部に入り込んで支持され、当該ケーブルＫが支持された状態では、前記抜止片４４は、原形状に復元することで、挿入開口を覆って当該ケーブルＫの抜け出しを防止する。
【００６８】
前記側壁面Ｗ1 と平行を保持して絶対空間に対して垂直配置された支持バーＢに対する前記配線・配管材支持具Ｓ2 の取着は、当該支持バーＢに対する支持バー台座Ｖの保持体Ｈの保持と同一操作にて行われる。即ち、配線・配管材支持具Ｓ2 の２個の取着片４１ａの離間方向を支持バーＢに対して交差するように配置させて、当該２個の取着片４１ａの間に支持バーＢを相対的に挿入配置させ、この状態で、当該配線・配管材支持具Ｓ2 の全体を所定方向に回動させると、２個の取着片４１ａを介して支持バーＢに配線・配管材支持具Ｓ2 が取着される。
【００６９】
また、上記したように、垂直配置された支持バーＢを側壁面Ｗ1 に対して平行に固定配置して、当該支持バーＢに配線・配管材支持具Ｓ1 （Ｓ2 ）を介して単体のケーブルＫ又は積層状態のケーブルＫを支持した場合には、当該ケーブルＫが支持バーＢに及ぼす力は、軸方向力のみであって、曲げ力ではないため、当該支持バーＢは、大きな曲げ強度を必要としない。即ち、支持バー台座Ｖの保持体Ｈに対する支持バーＢの軸方向への滑りを防止する構造は必要となるが、支持バーＢ自体の外径は、それ程大きくしなくても済む利点がある。
【００７０】
また、図１８（ａ），（ｂ）には、垂直配置された支持バーＢを２個の支持バー台座Ｖで側壁面Ｗ1 に固定配置した状態で、当該支持バーＢの両端の保持間隔が長い場合において、当該支持バーＢをわん曲させて、その中央部に別の支持バー台座Ｖを配置する前後の各状態が斜視図で図示されている。即ち、支持バーＢを側壁面Ｗ1 に２個の支持バー台座Ｖを用いて固定配置した後に、当該支持バーＢの保持間隔が長いために、その中間部に別の支持バー台座Ｖを配置することで、側壁面Ｗ1 に対する支持バーＢの固定強度を高めたい場合である。
【００７１】
この場合には、保持間隔の長い支持バーＢの中間部を側壁面Ｗ1 から持ち上げて、当該側壁面Ｗ1 から離間する方向に撓ませることで、側壁面Ｗ1 との離間距離を大きくし、当該離間距離が大きくなった部分に、支持バー台座Ｖの保持体Ｈの一対の抱持片２６を挿入配置させ、この状態で、固定台座Ｆに対して保持体Ｈを回動させることで、相対的に一対の抱持片２６に対して既に配置されている支持バーＢの中間部を抱持させる。これにより、側壁面Ｗ1 との離間距離が大きくなるように撓まされていた支持バーＢは、原形状である棒状に復元して、当該支持バーＢの保持間隔が短くなって、パイプ体Ｄ1 に対する支持強度が高められる。なお、支持バーＢの中間部に追加的に配置された支持バー台座Ｖの固定部２は、当該支持バーＢの直下から側方にずれた位置に配置させて、当該固定部２の釘固定用スリーブ１３の釘挿通孔１５に挿通された釘Ｎを側壁面Ｗ1 に打ち込んで、追加された支持バー台座Ｖを側壁面Ｗ1 に固定する。
【００７２】
支持バーＢの両端部を当初より支持している２個の支持バー台座Ｖ、及び当該支持バーＢの中間部に後に配置されて、当該支持バーＢの中間部を支持する支持バー台座Ｖは、それぞれ請求項６の「支持バー支持体」及び「支持バー中間固定具」の実施例に相当する。また、上記とは逆に、支持バーＢを撓ませることで、支持バーＢの中間部を支持している支持バー台座Ｖを取り外すことも可能である。
【００７３】
ここで、従来において、天井面から支持ブラケットにより吊ボルトを吊り下げて、当該吊ボルトに配線・配管材を支持させる構造はあったが、当該吊ボルトは、その上端である天井面に近い端部のみが支持ブラケットにより支持されて、天井面から大きく離れた当該吊ボルトの先端部（下端部）は、非支持状態となっているため振れ易く、配線・配管材の支持が安定しない問題があり、当該問題を回避するには、吊ボルトの中間部から先端部に至る部分に振止め部材を連結して、吊ボルトの振れ止めを行う必要があった。また、振止め部材により当該吊ボルトの振れが止められても、当該振止め部材は、吊ボルトの周辺空間を大きく占有すると共に、当該振止め部材に対して他の物品が衝突する危険もある。しかし、本発明においては、垂直配置された支持バーＢは、その複数箇所で支持バー台座Ｖにより側壁面Ｗ1 に不動状態でしっかり固定されているため、当該支持バーＢに支持される配線・配管材の支持が安定化すると共に、当該支持バーＢの占有空間も最小化できる。
【００７４】
また、図１９には、天井壁面Ｗ2 に水平に固定配置された支持バーＢに、配線・配管材支持具Ｓ3 を用いて３層に積層状態のケーブルＫを支持した状態の正面図が示されている。天井壁面Ｗ2 には、２個の前記支持バー台座Ｖを用いて支持バーＢが当該天井壁面Ｗ2 に対して平行を維持して水平配置状態で固定されている。なお、支持バーＢに対する支持バー台座Ｖの配置は、図８で２点鎖線で示される配置である。配線・配管材支持具Ｓ3 は、支持バーＢの外径に対応する断面円弧状の本体部５１に、前記配線・配管材支持具Ｓ2 の一対の取着片４１ａと同一構成の一対の取着片５２が一体に形成されて、当該本体部５１の長手方向の一端部における一対の取着片５２と反対側に、一方向にのみ係止可能な多数の係止突起（図示せず）が連続して設けられた結束バンド体５３の一端部が固着されると共に、当該結束バンド体５３を挿通させる挿通孔（図示せず）が形成されたバンド体支持部５４が一体に形成されている。バンド体支持部５４の挿通孔に対する結束バンド体５３の移動は、当該結束バンド体５３を引っ張って、その結束に寄与する結束長が短くなる方向への移動のみが可能であって、その結束長が長くなる逆方向の移動は阻止される構造になっており、この構造により、当該結束バンド体５３によって、積層状態のケーブルＫの結束が可能となる。なお、図１９において、５３ａは、結束バンド体５３の端部を示す。
【００７５】
これにより、天井壁面Ｗ2 と平行であって、絶対空間に対して水平となって当該天井壁面Ｗ2 に固定配置された支持バーＢの任意の位置に、配線・配管材支持具Ｓ3 を介して積層状態のケーブルＫを支持できる。即ち、支持バーＢに支持される積層状態のケーブルＫの数、及び配置ピッチを自在に変えられる。
【００７６】
また、本発明においては、側壁面Ｗ1 、天井壁面Ｗ2 等の側面に固定される支持バー台座Ｖを用いて支持バーＢを当該壁面に対して平行に固定しているため、例えば、図２０に示されるように、天井壁面Ｗ2 の一部に凹部７３が存在する場合のように、天井壁面Ｗ2 における当該凹部７３を跨いだ両側の部分に、支持バー台座Ｖを用いて支持バーＢを固定することが可能となる。図２０の例では、配線・配管材支持具Ｓ3 を介して支持バーＢに支持される３層に積層状態のケーブルＫは、当該支持バーＢの上方、即ち、前記凹部７３に配置することが可能となって、当該ケーブルＫの配置による当該支持バーＢの周辺の占有空間を少なくできる。
【００７７】
また、図２１に示される施工例は、建物の側壁面Ｗ1 の途中に大きな段差部７４が存在し、垂直配置された支持バーＢは、その上端部が、当該段差部７４に大きく入り込んで、当該支持バーＢの下端部と中央部の２箇所が支持バー台座Ｖを介して側壁面Ｗ1 に対して平行を維持して当該側壁面Ｗ1 に固定されることで、上端部から所定長の部分が前記段差部７４の側方に配置されて、片持ち支持されている。支持バーＢに取着される配線・配管材支持具Ｓ4 は、前記配線・配管材支持具Ｓ1 を構成する取着部３１と同一構成の取着部６１と、当該取着部６１における前記取着部３１の側板部３３ｂに対応する側板部に設けられた固定孔（図示せず）にビス６３を介して取付けられるフック状の支持部６２とから成る。なお、配線・配管材支持具Ｓ4'は、取着部６１の両側板部にそれぞれフック状の支持部６２が取付けられた構成である。支持バーＢにおける２個の支持バー台座Ｖの間には、配線・配管材支持具Ｓ4 を介して２本のパイプ体Ｄ2 が支持され、当該支持バーＢにおける片持ち支持されている部分には、配線・配管材支持具Ｓ4'を介して当該支持バーＢの両側に、それぞれ２本のパイプ体Ｄ2 が支持され、一方側の２本のパイプ体Ｄ2 は、前記段差部７４に入り込んだ状態で支持されている。
【００７８】
更に、図２２には、側壁面Ｗ1 に水平配置状態で固定された複数本の支持バーＢに対してパイプ体Ｄ3 が配線・配管材支持具Ｓ3 を用いて垂直に支持された状態が斜視図で示されている。即ち、上下方向に所定間隔をおいて側壁面Ｗ1 に対して水平を維持して水平配置された各支持バーＢは、その両端部が支持バー台座Ｖで支持されて、側壁面Ｗ1 に固定されている。各支持バーＢには、前記配線・配管材支持具Ｓ3 が一対の取着片５２によって取着され、各支持バーＢの手前側において垂直方向に配管された複数本（実施例では２本）のパイプ体Ｄ3 は、各配線・配管材支持具Ｓ3 の結束バンド体５３により、各支持バーＢに結束・支持されている。これにより、複数本のパイプ体Ｄ3 は、各支持バーＢの部分において、配線・配管材支持具Ｓ3 によって当該各支持バーＢに支持されることで、側壁面Ｗ1 に沿って平行を維持して垂直配置される。
【００７９】
また、支持バー台座Ｖを構成する固定台座Ｆと保持体Ｈとは、各回動組付け部１，２０の回動中心Ｃを中心として相対的に回動可能な構造となっており、この構造により、当該支持バーＢを壁面に対して支持固定する際に、上記した特有の作用効果が奏されるが、当該支持バーＢの壁面に対する支持固定後には、固定台座Ｆと保持体Ｈとを一体化させた方が、壁面に対する支持バーＢの支持固定の安定性が高まるので、例えば、保持体Ｈの本体部２１と、固定台座Ｆの配置空間部５の外側の部分とをビスで回動不能に固定するとよい。
【００８０】
また、図２３には、垂直配置された短い支持バーＢが１個の支持バー台座Ｖにより側壁面Ｗ1 に固定され、当該支持バーＢに配線・配管材支持具Ｓ2 を介して３層のケーブルＫが支持された状態の斜視図が示されている。このように、短い支持バーＢを垂直配置して、当該支持バーＢに配線・配管材支持具Ｓ2 を介して３層のケーブルＫを支持する場合には、当該短い支持バーＢには、上記したように、軸方向力のみが作用して、曲げ力は作用せず、しかも支持バー台座Ｖの保持部を校正する一対の抱持片２６は、支持バーＢの軸方向に沿って所定距離をおいて配置されているため、短い支持バーＢは、１つの支持バー台座Ｖのみで側壁面Ｗ1 に固定支持させることが可能となる。
【００８１】
また、上記実施例の支持バー台座Ｖは、これを構成する固定台座Ｆと保持体Ｈとが相対的に回動する構造であり、当該構造により、上記した各利点が生ずるが、本発明に係る支持バー台座においては、図２４に示されるように、固定台座Ｆ’と保持体Ｈ’は、一体構造であってもよい。支持バー台座Ｖ’の保持体Ｈ’を構成する一対の抱持片２６は、固定面側に開口した凹部を有する盤状の固定台座Ｆ’に一体に設けられ、当該固定台座Ｆ’には、一対の抱持片２６で抱持される支持バーＢの軸方向と直交する方向に沿って計３個の釘孔６５が等間隔で形成され、中央の釘孔６５は、一対の抱持片２６で抱持される支持バーＢの軸心の直下に形成されている。このように計３個の釘孔６５を有することで、支持バー台座Ｖ’を「先付け」する場合には、いずれか１つ以上の釘孔６５を用いて、当該支持バー台座Ｖ’を壁面に固定すると共に、支持バー台座Ｖ’を「後付け」する場合には、両端の２つの釘孔６５の一方又は双方を用いて、当該支持バー台座Ｖ’を側面に固定する。なお、両端の２個の釘孔６５は、支持バーＢが配置された状態で、当該支持バーＢと干渉しないで釘打ち可能な位置に設けられている。
【００８２】
また、図２０に近い配置例が示されているように、配線・配管材を支持する配線・配管材支持具のサイズが比較的小さい場合には、支持バー台座Ｖの保持体Ｈの部分を嵩上げして、嵩上げされた各保持体Ｈで保持される支持バーＢと側面との間の空間部に、配線・配管材支持具を配置して、当該支持具に配線・配管材を支持させることも可能であって、側面からの占有空間を小さくできる利点がある。
【符号の説明】
【００８３】
Ｂ：支持バー
Ｃ：回動中心
Ｄ1 〜Ｄ3 ：パイプ体（配線・配管材）
Ｆ：固定台座
Ｈ：保持体
Ｋ：ケーブル（配線・配管材）
Ｐ1,Ｐ2 ：配線・配管材の配設ピッチ
Ｑ：支持バーの延在方向
Ｓ1 〜Ｓ4 ：配線・配管材支持具
Ｖ：支持バー台座
Ｗ1 ：側壁面（壁面）
Ｗ2 ：天井壁面（壁面）
１：固定台座の回動組付け部
２：固定部
２０：保持体の回動組付け部
２６：抱持片（抱持部、保持部）
３１，４１，６１：取着部
３２，４２，６２：支持部
５３：結束バンド体（支持部）
【図１】
2020156251.tif 000003
【図２】
2020156251.tif 000004
【図３】
2020156251.tif 000005
【図４】
2020156251.tif 000006
【図５】
2020156251.tif 000007
【図６】
2020156251.tif 000008
【図７】
2020156251.tif 000009
【図８】
2020156251.tif 000010
【図９】
2020156251.tif 000011
【図１０】
2020156251.tif 000012
【図１１】
2020156251.tif 000013
【図１２】
2020156251.tif 000014
【図１３】
2020156251.tif 000015
【図１４】
2020156251.tif 000016
【図１５】
2020156251.tif 000017
【図１６】
2020156251.tif 000018
【図１７】
2020156251.tif 000019
【図１８】
2020156251.tif 000020
【図１９】
2020156251.tif 000021
【図２０】
2020156251.tif 000022
【図２１】
2020156251.tif 000023
【図２２】
2020156251.tif 000024
【図２３】
2020156251.tif 000025
【図２４】
2020156251.tif 000026